【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
情報コード画像の生成要求が発生すると、表示手段（２４）の表示範囲に表示されているベース画像の全体の中の一部の範囲を変換対象範囲として特定する範囲特定手段（２１ｂ）と、
前記範囲特定手段により特定された変換対象範囲に対応する変換対象画像に情報コードを適用してベース画像付き情報コード画像を生成する画像生成手段（３１ｂ）と、
前記画像生成手段により生成された前記ベース画像付き情報コード画像と、前記ベース画像から前記変換対象範囲の画像を除いた残り画像とを同時に前記表示手段に表示させる表示制御手段（２１ｅ）と、を備え、
前記表示制御手段は、前記ベース画像付き情報コード画像を構成するドットの表示を、一部のドットについて異なるタイミングで開始することを特徴とする情報コード画像表示システム（１）。
【請求項２】
情報コード画像の生成要求が発生すると、表示手段（２４）の表示範囲に表示されているベース画像の全体の中の一部の範囲を変換対象範囲として特定する範囲特定手段（２１ｂ）と、
前記範囲特定手段により特定された変換対象範囲に対応する変換対象画像に情報コードを適用してベース画像付き情報コード画像を生成する画像生成手段（３１ｂ）と、
前記画像生成手段により生成された前記ベース画像付き情報コード画像と、前記ベース画像から前記変換対象範囲の画像を除いた残り画像とを同時に前記表示手段に表示させる表示制御手段（２１ｅ）と、を備え、
前記表示制御手段は、前記ベース画像付き情報コード画像を構成するドットの表示を、少なくとも一部のドットについて濃淡を時系列で変化させることを特徴とする情報コード画像表示システム（１）。
【請求項３】
情報コード画像の生成要求が発生すると、表示手段（２４）の表示範囲に表示されているベース画像の全体の中の一部の範囲を変換対象範囲として特定する範囲特定手段（２１ｂ）と、
前記範囲特定手段により特定された変換対象範囲に対応する変換対象画像に情報コードを適用してベース画像付き情報コード画像を生成する画像生成手段（３１ｂ）と、
前記画像生成手段により生成された前記ベース画像付き情報コード画像と、前記ベース画像から前記変換対象範囲の画像を除いた残り画像とを同時に前記表示手段に表示させる表示制御手段（２１ｅ）と、を備え、
前記表示制御手段は、前記ベース画像付き情報コード画像と前記残り画像とを同時に前記表示手段に表示させた後に、前記ベース画像付き情報コード画像の表示を継続すると共に前記残り画像の表示を終了することで、前記ベース画像付き情報コード画像のみを前記表示手段に表示させることを特徴とする情報コード画像表示システム（１）。
【請求項４】
請求項１から３の何れか一項に記載した情報コード画像表示システムにおいて、
前記表示制御手段は、情報コード画像の生成要求が発生すると、前記変換対象範囲を示す変換対象範囲報知画像を前記表示手段に表示させることを特徴とする情報コード画像表示システム。
【請求項５】
請求項４に記載した情報コード画像表示システムにおいて、
前記表示制御手段は、前記変換対象範囲報知画像として前記情報コードに特有のマークを含む画像を用いることを特徴とする情報コード画像表示システム。
【請求項６】
請求項１から５の何れか一項に記載した情報コード画像表示システムにおいて、
前記表示制御手段は、情報コード画像の生成要求が発生してから前記ベース画像付き情報コード画像の少なくとも一部の表示を開始するまで、前記ベース画像付き情報コード画像の少なくとも一部の表示を待機中である旨を示す待機中報知画像を前記表示手段に表示させることを特徴とする情報コード画像表示システム。
【請求項７】
請求項１から６の何れか一項に記載した情報コード画像表示システムにおいて、
前記範囲特定手段は、情報コード画像の生成要求を示すユーザ操作が発生すると、情報コード画像の生成要求が発生したと特定することを特徴とする情報コード画像表示システム。
【請求項８】
請求項１から７の何れか一項に記載した情報コード画像表示システムにおいて、
前記範囲特定手段は、ベース画像に基準点が含まれているときには、その基準点を基準とする範囲を前記変換対象範囲として特定することを特徴とする情報コード画像表示システム。
【請求項９】
請求項１から７の何れか一項に記載した情報コード画像表示システムにおいて、
前記範囲特定手段は、ベース画像に基準点が含まれていないときには、前記表示手段の表示範囲の中の予め設定されている範囲を前記変換対象範囲として特定することを特徴とする情報コード画像表示システム。
【請求項１０】
請求項１から９の何れか一項に記載した情報コード画像表示システムにおいて、
地図情報を取得する地図情報取得手段（２１ａ）を備え、
前記範囲特定手段は、前記ベース画像として前記地図情報取得手段により取得された地図情報に含まれる地図画像を用いることを特徴とする情報コード画像表示システム。
【請求項１１】
請求項１から１０の何れか一項に記載した情報コード画像表示システムにおいて、
前記画像生成手段は、前記変換対象画像として前記ベース画像を構成する画像情報と同じ画像情報から派生した画像の一部を用いることを特徴とする情報コード画像表示システム。
【請求項１２】
請求項１から１０の何れか一項に記載した情報コード画像表示システムにおいて、
前記画像生成手段は、前記変換対象画像として前記ベース画像を構成する画像情報とは異なる画像情報から派生した画像の一部を用いることを特徴とする情報コード画像表示システム。
【請求項１３】
請求項１から１２の何れか一項に記載した情報コード画像表示システムにおいて、
情報コード画像表示端末（２）がサーバ（３）にアクセス可能に構成され、
前記範囲特定手段及び前記表示制御手段は、前記情報コード画像表示端末に設けられ、
前記画像生成手段は、前記サーバに設けられていることを特徴とする情報コード画像表示システム。
【請求項１４】
サーバ（３）にアクセス可能な情報コード画像表示端末（２）であって、
情報コード画像の生成要求が発生すると、表示手段（２４）の表示範囲に表示されているベース画像の全体の中の一部の範囲を変換対象範囲として特定する範囲特定手段（２１ｂ）と、
ベース画像付き情報コード画像の生成に必要な情報である生成必要情報を前記サーバに送信させる端末側送信制御手段（２１ｃ）と、
前記サーバからベース画像付き情報コード画像を受信させる端末側受信制御手段（２１ｄ）と、
前記端末側受信制御手段により受信された前記ベース画像付き情報コード画像と、前記ベース画像から前記変換対象範囲の画像を除いた残り画像とを同時に前記表示手段に表示させる表示制御手段（２１ｅ）と、を備え、
前記表示制御手段は、前記ベース画像付き情報コード画像を構成するドットの表示を、一部のドットについて異なるタイミングで開始することを特徴とする情報コード画像表示端末。
【請求項１５】
サーバ（３）にアクセス可能な情報コード画像表示端末（２）であって、
情報コード画像の生成要求が発生すると、表示手段（２４）の表示範囲に表示されているベース画像の全体の中の一部の範囲を変換対象範囲として特定する範囲特定手段（２１ｂ）と、
ベース画像付き情報コード画像の生成に必要な情報である生成必要情報を前記サーバに送信させる端末側送信制御手段（２１ｃ）と、
前記サーバからベース画像付き情報コード画像を受信させる端末側受信制御手段（２１ｄ）と、
前記端末側受信制御手段により受信された前記ベース画像付き情報コード画像と、前記ベース画像から前記変換対象範囲の画像を除いた残り画像とを同時に前記表示手段に表示させる表示制御手段（２１ｅ）と、を備え、
前記表示制御手段は、前記ベース画像付き情報コード画像を構成するドットの表示を、少なくとも一部のドットについて濃淡を時系列で変化させることを特徴とする情報コード画像表示端末。
【請求項１６】
サーバ（３）にアクセス可能な情報コード画像表示端末（２）であって、
情報コード画像の生成要求が発生すると、表示手段（２４）の表示範囲に表示されているベース画像の全体の中の一部の範囲を変換対象範囲として特定する範囲特定手段（２１ｂ）と、
ベース画像付き情報コード画像の生成に必要な情報である生成必要情報を前記サーバに送信させる端末側送信制御手段（２１ｃ）と、
前記サーバからベース画像付き情報コード画像を受信させる端末側受信制御手段（２１ｄ）と、
前記端末側受信制御手段により受信された前記ベース画像付き情報コード画像と、前記ベース画像から前記変換対象範囲の画像を除いた残り画像とを同時に前記表示手段に表示させる表示制御手段（２１ｅ）と、を備え、
前記表示制御手段は、前記ベース画像付き情報コード画像と前記残り画像とを同時に前記表示手段に表示させた後に、前記ベース画像付き情報コード画像の表示を継続すると共に前記残り画像の表示を終了することで、前記ベース画像付き情報コード画像のみを前記表示手段に表示させることを特徴とする情報コード画像表示端末。
【請求項１７】
サーバ（３）にアクセス可能な情報コード画像表示端末（２）の端末側制御手段（２１）に、
情報コード画像の生成要求が発生すると、表示手段（２４）の表示範囲に表示されているベース画像の全体の中の一部の範囲を変換対象範囲として特定する範囲特定処理と、
ベース画像付き情報コード画像の生成に必要な情報である生成必要情報を前記サーバに送信させる端末側送信制御処理と、
前記サーバからベース画像付き情報コード画像を受信させる端末側受信制御処理と、
前記端末側受信制御処理により受信した前記ベース画像付き情報コード画像と、前記ベース画像から前記変換対象範囲の画像を除いた残り画像とを同時に前記表示手段に表示させ、前記ベース画像付き情報コード画像を構成するドットの表示を、一部のドットについて異なるタイミングで開始する表示制御処理と、を実行させることを特徴とする情報コード画像表示プログラム。
【請求項１８】
サーバ（３）にアクセス可能な情報コード画像表示端末（２）の端末側制御手段（２１）に、
情報コード画像の生成要求が発生すると、表示手段（２４）の表示範囲に表示されているベース画像の全体の中の一部の範囲を変換対象範囲として特定する範囲特定処理と、
ベース画像付き情報コード画像の生成に必要な情報である生成必要情報を前記サーバに送信させる端末側送信制御処理と、
前記サーバからベース画像付き情報コード画像を受信させる端末側受信制御処理と、
前記端末側受信制御処理により受信した前記ベース画像付き情報コード画像と、前記ベース画像から前記変換対象範囲の画像を除いた残り画像とを同時に前記表示手段に表示させ、前記ベース画像付き情報コード画像を構成するドットの表示を、少なくとも一部のドットについて濃淡を時系列で変化させる表示制御処理と、を実行させることを特徴とする情報コード画像表示プログラム。
【請求項１９】
サーバ（３）にアクセス可能な情報コード画像表示端末（２）の端末側制御手段（２１）に、
情報コード画像の生成要求が発生すると、表示手段（２４）の表示範囲に表示されているベース画像の全体の中の一部の範囲を変換対象範囲として特定する範囲特定処理と、
ベース画像付き情報コード画像の生成に必要な情報である生成必要情報を前記サーバに送信させる端末側送信制御処理と、
前記サーバからベース画像付き情報コード画像を受信させる端末側受信制御処理と、
前記端末側受信制御処理により受信した前記ベース画像付き情報コード画像と、前記ベース画像から前記変換対象範囲の画像を除いた残り画像とを同時に前記表示手段に表示させ、前記ベース画像付き情報コード画像と前記残り画像とを同時に前記表示手段に表示させた後に、前記ベース画像付き情報コード画像の表示を継続すると共に前記残り画像の表示を終了することで、前記ベース画像付き情報コード画像のみを前記表示手段に表示させる表示制御処理と、を実行させることを特徴とする情報コード画像表示プログラム。
【手続補正２】
【補正対象書類名】明細書
【補正対象項目名】発明の名称
【補正方法】変更
【補正の内容】
【発明の名称】情報コード画像表示システム、情報コード画像表示端末、情報コード画像表示プログラム
【手続補正３】
【補正対象書類名】明細書
【補正対象項目名】０００１
【補正方法】変更
【補正の内容】
【０００１】
本発明は、情報コード画像表示システム、情報コード画像表示端末、情報コード画像表示プログラムに関する。
【手続補正４】
【補正対象書類名】明細書
【補正対象項目名】０００５
【補正方法】変更
【補正の内容】
【０００５】
本発明は、上記した事情に鑑みてなされたものであり、その目的は、ベース画像の全体ではなく一部のみに情報コードを適用する場合に、情報コードが適用された範囲をユーザが適切に把握することができ、利便性を高めることができる情報コード画像表示システム、情報コード画像表示端末、情報コード画像表示プロラムを提供することにある。
【手続補正５】
【補正対象書類名】明細書
【補正対象項目名】０００６
【補正方法】変更
【補正の内容】
【０００６】
請求項１に記載した発明によれば、範囲特定手段は、情報コード画像の生成要求が発生すると、表示手段の表示範囲に表示されているベース画像の全体の中の一部の範囲を変換対象範囲として特定する。画像生成手段は、範囲特定手段により特定された変換対象範囲に対応する変換対象画像に情報コードを適用してベース画像付き情報コード画像を生成する。表示制御手段は、画像生成手段により生成されたベース画像付き情報コード画像と、ベース画像から変換対象範囲の画像を除いた残り画像とを同時に表示手段に表示させる。表示制御手段は、ベース画像付き情報コード画像を構成するドットの表示を、一部のドットについて異なるタイミングで開始する。